(57)【要約】【課題】地図上でＰＯＩが密集した場合でも容易にＰＯＩの分布状況を把握でき、個々のＰＯＩの選択及び情報の取得が容易にできる情報表示装置を提供する。【解決手段】地図の情報と地点情報とを格納する格納手段１０４と、地図上に表示されるマークが指し示す地点の地点特徴値を地点ごとに算出する算出手段１０３と、地点特徴値に基づき所定の数の地点を選択する選択手段１０１と、その地点の地点情報の所定の情報を格納手段から取得し、外部装置に表示させる場合、所定の情報を外部装置へ送信する情報送信手段１０１と、選択された所定の数の地点を示すマークと他のマークを異なる表示態様とさせ、表示手段に所定の情報を表示する場合に表示手段に表示させ、表示手段又は外部装置に表示された所定の情報に対し選択指示があった場合、指示された所定の情報に対応する地点の地点情報を表示手段又は外部装置に表示させる表示制御手段１０２とを備える。【選択図】図１
2009075422.tif 000002
【特許請求の範囲】
【請求項１】
地図を表示手段に表示させるとともに、ユーザが関心を持つ地点を指し示すマークを前記地図上に表示させる情報表示装置であって、
前記地図の情報と、前記ユーザが関心を持つ地点に関する地点情報とを格納する格納手段と、
所定のアルゴリズムに基づいて、前記地図上に表示される前記マークが指し示す地点の地点特徴値を地点ごとに算出する算出手段と、
算出された前記地点特徴値に基づいて所定の数の地点を選択する選択手段と、
選択された前記地点に関する前記地点情報に含まれる所定の情報を前記表示手段又は前記情報表示装置に接続可能な外部装置にて表示させるために前記格納手段から取得し、前記外部装置にて表示させる場合には、取得された前記所定の情報を前記外部装置へ送信する情報送信手段と、
前記地図を前記表示手段に表示させるとともに、前記地図上において、選択された前記所定の数の地点を指し示すマークとそれ以外の他のマークとを異なる表示態様でそれぞれ表示させ、さらに前記表示手段に前記所定の情報を表示する場合には取得された前記所定の情報を前記表示手段に表示させ、前記表示手段又は前記外部装置に表示された前記所定の情報に対して前記ユーザからの選択指示があった場合に、選択指示された前記所定の情報に対応する地点に関する前記地点情報を前記表示手段又は前記外部装置にて表示させる処理を行う表示制御手段とを、
備える情報表示装置。
【請求項２】
前記表示制御手段は、選択された前記所定の数の地点を指し示すマークとそれ以外の前記他のマークとを異なる表示態様でそれぞれ表示させる方法として、前記所定の数の地点を指し示すマーク以外の前記他のマークを半透明表示させる請求項１に記載の情報表示装置。
【請求項３】
前記所定の情報は、前記地点を表す画像及び／又は前記地点の名称の情報である請求項１又は２に記載の情報表示装置。
【発明の詳細な説明】
【技術分野】
【０００１】
本発明は、地図を表示するとともに、ユーザが関心を持つ地点を地図上に表示する情報表示装置に関する。
【背景技術】
【０００２】
従来から、カーナビゲーションシステム（以下、カーナビとも言う）などにおいてユーザが関心を持つ地点（以下、ＰＯＩ（Points Of Interest）とも言う）を表示及び選択させることが可能な機能が実現されている。しかしながら、既存の方法では以下の問題点がある。すなわち、既存の方法では、地図上に多数のＰＯＩが存在する場合、個々のＰＯＩの情報を識別することができなくなる。また、選択しようとしても、多数のＰＯＩが重なっているため、容易に選択することができない。
【０００３】
上記問題を解消しようと、表示するＰＯＩの数を制限し、かつ詳細な表示を別の位置にすることが行われている（図６を参照）。しかしながら、この方法を用いると、そもそも目的とするＰＯＩがどのように分布しているのか（密集しているのか少数しか存在しないのか）把握することができない。こうした問題を解消するための方法が下記の特許文献１から４に開示されている。
【０００４】
特許文献１に記載の技術では、同一カテゴリに含まれるＰＯＩが少ないものを、同一カテゴリに含まれるＰＯＩが多いものの後に描画する（すなわち、よりユーザに近い側に表示する）ことで、同一カテゴリに含まれるＰＯＩが少ないものがより確実に表示されることを目的としている。特許文献２に記載の技術では、ＰＯＩが密集した場合に複数のアイコンを代表するアイコンを示すことにより、道路を見やすく、かつ選択しやすくすることを試みている。特許文献３に記載の技術では、ベイジアンネットを用いてユーザの嗜好を学習し、表示するＰＯＩの数を減少させることを目的とする。特許文献４に記載の技術では、詳細表示エリアとそれ以外のエリアとを設定し、詳細表示エリア内ではすべてのＰＯＩを表示し、それ以外のエリアではユーザが常時表示を選択したＰＯＩのみを表示することとしている。
【特許文献１】特開２００２−２０６９３３号公報（要約）
【特許文献２】特開２００２−３４０５８８号公報（要約）
【特許文献３】特開２００４−３５５０７５号公報（要約）
【特許文献４】特開２００５−２１４７８３号公報（要約）
【発明の開示】
【発明が解決しようとする課題】
【０００５】
しかし、特許文献１に記載の技術では、より下位に描画されたＰＯＩが視認、選択しにくいのみならず、上位に表示されたものが密集していた場合には容易に視認、選択することができない。また、特許文献２に記載の技術では、代表アイコンがどのようなＰＯＩを表しているか見て取ることができず、それを知るためには煩雑な操作が必要である。また、特許文献３に記載の技術において、嗜好学習型の情報フィルタは同乗者がいる場合など未学習のユーザがいる場合にはうまく機能せず、必要な情報を表示しないといった問題を引き起こす場合がある。また、特許文献４に記載の技術では、詳細表示エリア内のＰＯＩが密集している場合の視認性及び選択性の問題は解決できず、また地図上を視点移動させながらそのエリアの状況を把握したい場合にも不便である。
【０００６】
本発明は、上記問題を解決するためのものであり、地図上でＰＯＩが密集した場合でも容易にＰＯＩの分布状況を把握することができるとともに、個々のＰＯＩの選択及び個々のＰＯＩの情報の取得が容易にできる情報表示装置を提供することを目的とする。
【課題を解決するための手段】
【０００７】
上記目的を達成するために、本発明によれば、地図を表示手段に表示させるとともに、ユーザが関心を持つ地点を指し示すマークを前記地図上に表示させる情報表示装置であって、前記地図の情報と、前記ユーザが関心を持つ地点に関する地点情報とを格納する格納手段と、所定のアルゴリズムに基づいて、前記地図上に表示される前記マークが指し示す地点の地点特徴値を地点ごとに算出する算出手段と、算出された前記地点特徴値に基づいて所定の数の地点を選択する選択手段と、選択された前記地点に関する前記地点情報に含まれる所定の情報を前記表示手段又は前記情報表示装置に接続可能な外部装置にて表示させるために前記格納手段から取得し、前記外部装置にて表示させる場合には、取得された前記所定の情報を前記外部装置へ送信する情報送信手段と、前記地図を前記表示手段に表示させるとともに、前記地図上において、選択された前記所定の数の地点を指し示すマークとそれ以外の他のマークとを異なる表示態様でそれぞれ表示させ、さらに前記表示手段に前記所定の情報を表示する場合には取得された前記所定の情報を前記表示手段に表示させ、前記表示手段又は前記外部装置に表示された前記所定の情報に対して前記ユーザからの選択指示があった場合に、選択指示された前記所定の情報に対応する地点に関する前記地点情報を前記表示手段又は前記外部装置にて表示させる処理を行う表示制御手段とを、備える情報表示装置が提供される。この構成により、地図上でＰＯＩが密集した場合でも容易にＰＯＩの分布状況を把握することができるとともに、個々のＰＯＩの選択及び個々のＰＯＩの情報の取得が容易にできる。ここで、所定のアルゴリズムとは、後述する選択のアルゴリズムを言う。また、地点特徴値は、後述する優先度値に相当する。また、ここでのマークとは、ユーザに対して視覚的に認識させることができるものであればよく、後述するフラグ（ＰＯＩフラグ）や、特別な色を発する表示物、点滅する表示物などを言い、以下ではマークをフラグとして説明する。
【０００８】
また、本発明の情報表示装置において、前記表示制御手段が、選択された前記所定の数の地点を指し示すマークとそれ以外の前記他のマークとを異なる表示態様でそれぞれ表示させる方法として、前記所定の数の地点を指し示すマーク以外の前記他のマークを半透明表示させることは、本発明の好ましい態様である。この構成により、所定のＰＯＩを容易に把握することができる。ここで、他のマークと異なる表示態様でそれぞれ表示させる方法とは、例えば後述するような強調表示をさせることを言う。
【０００９】
また、本発明の情報表示装置において、前記所定の情報が前記地点を表す画像及び／又は前記地点の名称の情報であることは、本発明の好ましい態様である。この構成により、容易にＰＯＩの選択を行うことができる。
【発明の効果】
【００１０】
本発明の情報表示装置は、上記構成を有し、地図上でＰＯＩが密集した場合でも容易にＰＯＩの分布状況を把握することができるとともに、個々のＰＯＩの選択及び個々のＰＯＩの情報の取得が容易にできる。すなわち、本発明の情報表示装置は、多数のＰＯＩ表示と、個々のＰＯＩの選択及びそれらに関する情報の取得を両立させることができる。
【発明を実施するための最良の形態】
【００１１】
以下、本発明の実施の形態に係る情報表示装置について説明する。まず、本発明の実施の形態に係る情報表示装置の一例について図１を用いて説明する。図１に示すように、情報表示装置は、ユーザ指示受付手段１０１（上述する選択手段、情報送信手段に相当）、表示制御手段１０２（上述する表示制御手段に相当）、優先度計算手段１０３（上述する算出手段に相当）、地図情報格納手段１０４（上述する格納手段に相当）から構成されている。なお、図１に示されている表示手段１０５及びＰＯＩ表示選択デバイス１０６は、この例では情報表示装置の構成要素ではないが、情報表示装置の構成要素であってもよい。
【００１２】
表示手段１０５は、地図情報を表示するだけでなく、後述する、ユーザが関心を持つ場所（地点）を示すＰＯＩフラグも表示する。ＰＯＩ表示選択デバイス１０６は、後述するように、１つ以上のＰＯＩ情報（上述する所定の情報に相当し、ＰＯＩフラグにより示される地点の画像や名称などの情報であって、例えばその地点の店舗の画像や店舗名）を表示するための表示エリアを有し、表示エリアに表示されたＰＯＩ情報を選択可能とする機能を有するものである。詳細については後述する。なお、表示手段１０５は、ＰＯＩ表示選択デバイス１０６におけるＰＯＩ情報を表示する表示エリアを有していてもよい。このような形態の場合、ＰＯＩ表示選択デバイスは特に必要としない。
【００１３】
ユーザ指示受付手段１０１は、表示手段１０５やＰＯＩ表示選択デバイス１０６などを介して、ユーザからの指示を受け付け、受け付けた指示がどのような内容の指示であるかを判断し、指示に応じた処理をするものである。例えば、後述するように、表示手段１０５上に表示された情報にユーザが触れた場合（タッチパネル形式の場合）、ユーザによって触れられた情報がどのようなものであるかを判断し、その判断に基づいた処理を他の構成要素にさせる。
【００１４】
表示制御手段１０２は、表示手段１０５に情報を表示する際の制御を行うものである。例えば、現在位置に基づいた適切な地図情報の表示制御をしたり、ユーザにとって有用な情報を表示させるよう表示手段１０５を制御したりする。優先度計算手段１０３は、後述するように、ＰＯＩ表示選択デバイス１０６の表示エリアへの表示対象となるＰＯＩを決定する際に利用される優先度値（上述する地点特徴値に相当）を計算するものである。地図情報格納手段１０４は、上述した地図情報やユーザに有用な情報（地点に関する地点情報）などを格納するものである。
【００１５】
次に、表示手段１０５上における表示について説明する。地図上にはすべてのＰＯＩのＰＯＩフラグが表示される。この際、ＰＯＩ表示選択デバイス１０６の表示エリアへの表示対象となっているＰＯＩのＰＯＩフラグに関しては、強調表示するなどして他のＰＯＩのＰＯＩフラグと識別をしやすくする。ここでの強調表示とは、ＰＯＩ表示選択デバイス１０６の表示エリアへの表示対象となるＰＯＩとそれ以外のＰＯＩとを異なる（識別可能な）表示態様でそれぞれ表示させることを言い、例えばＰＯＩ表示選択デバイス１０６の表示エリアへの表示対象となっているＰＯＩ以外のＰＯＩのＰＯＩフラグを半透明表示させることを言う。
【００１６】
その他の強調表示として、ＰＯＩ表示選択デバイス１０６の表示エリアへの表示対象となっているＰＯＩのＰＯＩフラグを、ＰＯＩ表示選択デバイス１０６の表示エリアへの表示対象となっているＰＯＩ以外のＰＯＩのＰＯＩフラグが表示された上に表示（描画）するようにする。また、ＰＯＩ表示選択デバイス１０６の表示エリアへの表示対象となっているＰＯＩのＰＯＩフラグを、ＰＯＩ表示選択デバイス１０６の表示エリアへの表示対象となっているＰＯＩ以外のＰＯＩのＰＯＩフラグより大きく表示してもよく、枠を付けて表示してもよい。
【００１７】
いずれにしても、このようにすべてのＰＯＩのＰＯＩフラグを表示させることによって、ユーザは地図上のどの部分にＰＯＩが分布しているか一目で把握することができる。
【００１８】
次に、ＰＯＩ表示選択デバイス１０６について図２を用いて説明する。図２に示すように、ＰＯＩ表示選択デバイス１０６は、例えば９個のＰＯＩ情報を表示する表示選択エリア（上述のように、単に表示エリアとも言う）を有している。なお、表示エリアの個数はこれに限られるものではない。ＰＯＩ表示選択デバイス１０６は、１つ以上の表示エリアを有するだけでなく、表示エリアに表示されたＰＯＩ情報を選択（例えば、タッチパネル形式による選択）可能とさせる機能を有する。
【００１９】
選択することにより、選択されたＰＯＩに関する詳細情報（例えば、店舗などであれば住所、電話番号などの情報であり、場所などであれば住所などの情報）を、例えば音声などで得ることが可能となる。また、ＰＯＩ表示選択デバイス１０６は、表示エリアとは別のスイッチが存在してもよい。このスイッチは、例えば後述するような選択用のスイッチであってもよく、また表示エリアへの表示対象となっているＰＯＩを他のＰＯＩに表示変更したい場合に用いられるものであってもよい。
【００２０】
図２に示した例は９つの表示エリアを持ち、それぞれの表示エリアが選択用のスイッチを兼用している例である。表示エリアには、例えばＰＯＩを最も的確に現す画像とその名称とが表示されている。なお、ＰＯＩ表示選択デバイス１０６は、上述したように、図２に示す例と同様の表示エリアを持ち、さらに各表示エリアの周囲に表示エリアとは別の選択用のスイッチを持つデバイスであってもよい。
【００２１】
また、通常の地図表示ディスプレイ（上述した表示手段１０５に相当）と異なるディスプレイ、あるいは地図表示ディスプレイと同一ディスプレイ上に複数個のＰＯＩ情報を表示させ、タッチパネル式あるいはスイッチ操作によって選択を可能とさせる形態でもよい。また、表示の形式として、ＰＯＩのカテゴリごとに表示を変化させることにより視認性を高めることも可能である。具体的な例としては、レストラン、宿泊施設、遊ぶ場所などの区分（カテゴリ）により表示されている画像の背景の色を変化させるなどの処理を加えることにより、より直感的に表示内容を把握することが可能となる。
【００２２】
いずれにしてもＰＯＩ表示選択デバイス１０６には地図上のすべてのＰＯＩを表示できない場合が多いため、何らかの方法（アルゴリズム）で表示させるＰＯＩを選択し、表示させる必要がある。これには任意の方式、若しくはその組み合わせが考えられる。以下に、選択のアルゴリズムの一例を示す。
【００２３】
選択のアルゴリズム（選択方法）の一例として、例えば現在地から近い距離順に選択する方法、ユーザの過去の操作履歴やナビ利用履歴から嗜好を学習し優先度値（地点特徴値）を計算して選択する方法であって、例えば過去における目的地設定の回数が多いほど優先度値（地点特徴値）を大きくする方法、複数ユーザからのＰＯＩに対するフィードバック情報（口コミ情報など）を利用し優先度値（地点特徴値）を計算して選択する方法、インターネット上に存在する情報量を利用し優先度値（地点特徴値）を計算して選択する方法などが考えられる。
【００２４】
また、地図上には何件のＰＯＩが存在し、そのうちの何件をＰＯＩ表示選択デバイス１０６上に表示しているかを示すことにより、ユーザは地図中におけるＰＯＩの件数を直感的に把握することが可能となる。その際の表示の仕方の一例を図３に示す。図３に示す例では、表示するバー全体が表示手段１０５の地図上のＰＯＩの総数に相当し、そのバーの一部がＰＯＩ表示選択デバイス１０６の表示エリアへの表示対象となっているＰＯＩの数に相当している。また、図３に示す方法以外に、単に「全１８０件中／８件を表示」という旨の表示であってもよい。上述した選択方法によって、例えば優先度の高いＰＯＩからＰＯＩ表示選択デバイス１０６に表示させる。
【００２５】
ここで、ＰＯＩの地図上における表示の一例を図４に示す。図４に示すように、ＰＯＩ表示選択デバイス１０６の表示エリアへの表示対象となっているＰＯＩ（番号１〜９）のＰＯＩフラグは強調表示され、それ以外のＰＯＩのＰＯＩフラグは半透明表示などとされる。これにより、ＰＯＩの分布を把握することができ、所定のＰＯＩに関する詳細情報を取得することができる。
【００２６】
次に、表示手段１０５に地図が表示され、その地図上にＰＯＩフラグが表示され、ＰＯＩ表示選択デバイス１０６の表示エリアにＰＯＩ情報が表示された後におけるユーザの操作について説明する。ユーザは、ＰＯＩ表示選択デバイス１０６の表示エリアに表示されているＰＯＩ情報に興味を持つ場合、そのＰＯＩ情報が表示されている画面をタッチするなどして選択する。
【００２７】
選択されると、ユーザ指示受付手段１０１は、地図情報格納手段１０４などから、選択に対応したＰＯＩに関する詳細情報を取得するよう表示制御手段１０２に指示する。表示制御手段１０２は、対応するＰＯＩに関する詳細情報を取得し、表示手段１０５に表示させる。なお、ユーザ指示受付手段１０１は、自らＰＯＩに関する詳細情報を取得し、ＰＯＩ表示選択デバイス１０６の表示エリアに表示させるようにしてもよい。なお、ユーザによる選択は、ＰＯＩに関する情報を取得する処理に限られず、目的地として設定するための処理であってもよい。
【００２８】
一方、ユーザが表示エリアに表示されているＰＯＩ情報に興味を持てない場合、ユーザはＰＯＩ情報の表示を変更するための指示を行うことができる。この場合の指示は、上述したような表示変更のためのスイッチを押下するなどによって実現可能である。この指示により、優先度値（地点特徴値）が再計算され、再計算された優先度値（地点特徴値）に基づいて表示エリアにおけるＰＯＩ情報の表示が更新される。
【００２９】
この際の再計算の方法も様々存在する。例えば、表示エリアに表示されたＰＯＩ情報が示すＰＯＩが優先度１位からｎ位のものであれば、優先度ｎ＋１位から２ｎ位までのＰＯＩのＰＯＩ情報を表示させるようにしてもよい。また、ユーザが操作を行う前に表示していたＰＯＩ情報が示すＰＯＩの特徴量ベクトルを負例として学習し、ＳＶＭ（Support Vector Machine）若しくはベクトル法を用いて新たな優先度値を計算するようにしてもよい。こうした操作により、ユーザは自分が興味を持てるＰＯＩ情報が表示されるまで、ＰＯＩ情報の表示を変更することができる。
【００３０】
こうした操作に際して、ＰＯＩ表示選択デバイス１０６の表示エリアへの表示対象となっているＰＯＩのＰＯＩフラグは地図上においても上述したような方法により強調表示される。そのため、ユーザはＰＯＩの分布状況を把握しながら、どのようなＰＯＩがあるかがわかり、またその選択を容易に行うことができる。
【００３１】
次に、本発明の実施の形態に係る情報表示装置における処理フローの一例を図５に示す。図５に示すように、表示制御手段１０２は、あらかじめ地図情報格納手段１０４などに格納されたＰＯＩ群の中から、表示手段１０５に表示される地図上に存在するＰＯＩを選択して表示手段１０５に表示させる（ステップＳ５０１）。優先度計算手段１０３は、上述したような所定の優先度値（地点特徴値）計算のためのアルゴリズムを用いて、表示対象となっているＰＯＩのそれぞれの優先度値（地点特徴値）を計算する（ステップＳ５０２）。
【００３２】
ユーザ指示受付手段１０１は、計算された優先度値（地点特徴値）に基づいてＰＯＩ表示選択デバイス１０６の表示エリアに表示させるＰＯＩを選択し、選択されたＰＯＩの上記所定の情報を地図情報格納手段１０４から取得し、取得された所定の情報をＰＯＩ表示選択デバイス１０６に通知する（ステップＳ５０３）。なお、選択、取得、通知の処理が別々の不図示の手段によって行われるようにしてもよい。表示制御手段１０２は、表示手段１０５に表示されているＰＯＩフラグが示すＰＯＩのうち、選択されたＰＯＩのＰＯＩフラグに関してのみ強調表示をさせる（ステップＳ５０４）。一方で、ＰＯＩ表示選択デバイス１０６は、通知されたＰＯＩを示すＰＯＩ情報を表示エリアに表示する（ステップＳ５０５）。
【００３３】
そして、ユーザ指示受付手段１０１は、ユーザからＰＯＩ情報の表示変更の旨の指示を受け付けたか否かを判断する（ステップＳ５０６）。ＰＯＩ情報の表示変更の旨の指示を受け付けたと判断した場合、再度ＰＯＩの優先度値（地点特徴値）を計算し直すためにステップＳ５０２へ移行する。一方、ＰＯＩ情報の表示に満足した旨の指示（例えば、画面タッチによるＰＯＩに関する情報の取得指示（選択指示））を受け付けた場合には、上述したようにユーザ指示受付手段１０１は所定の処理を行い、表示制御手段１０２に所望の情報（例えば、該当する地点の詳細情報）を表示させるよう処理を行う（ステップＳ５０７）。
【産業上の利用可能性】
【００３４】
本発明に係る情報表示装置は、地図上でＰＯＩが密集した場合でも容易にＰＯＩの分布状況を把握することができるとともに、個々のＰＯＩの選択及び個々のＰＯＩの情報の取得が容易にできるため、地図を表示するとともに、ユーザが関心を持つ地点を地図上に表示する情報表示装置などに有用である。
【図面の簡単な説明】
【００３５】
【図１】本発明の実施の形態に係る情報表示装置の構成の一例を示すブロック図である。
【図２】本発明の実施の形態におけるＰＯＩ表示選択デバイスの表示エリアの一例を示す図である。
【図３】本発明の実施の形態におけるＰＯＩの総数と表示エリアのＰＯＩの数とを把握するための表示方法の一例を示す図である。
【図４】本発明の実施の形態におけるＰＯＩフラグの表示の一例を示す図である。
【図５】本発明の実施の形態に係る情報表示装置における処理フローの一例を示すフローチャートである。
【図６】従来技術におけるＰＯＩフラグの表示の一例を示す図である。
【符号の説明】
【００３６】
１０１  ユーザ指示受付手段（選択手段、情報送信手段）
１０２  表示制御手段
１０３  優先度計算手段（算出手段）
１０４  地図情報格納手段（格納手段）
１０５  表示手段
１０６  ＰＯＩ表示選択デバイス（外部装置）
【図１】
2009075422.tif 000003
【図２】
2009075422.tif 000004
【図３】
2009075422.tif 000005
【図４】
2009075422.tif 000006
【図５】
2009075422.tif 000007
【図６】
2009075422.tif 000008